(57)【要約】　　　（修正有）【課題】棺桶の内部に配置して遺体を冷却するドライアイスを使用することなく、しかも従来の棺桶をそのまま使用することも可能であり、遺体の腐敗を極力防止する棺桶用冷却装置を提供する。【解決手段】遺体４６を安置する棺桶１１を載せる載置台１２と、載置台１２内に配置されて、上部に載った棺桶１１の底部に冷風を吹き付ける冷風発生手段とを有し、棺桶１１の底部を冷却することによって、棺桶１１内部の遺体４６を間接的に冷却し、遺体４６の腐敗を極力防止する。【選択図】　　　　図１
2004105254.tif 000002
【特許請求の範囲】
【請求項１】
棺桶を載せる載置台と、
前記載置台内に配置されて、上部に載った前記棺桶の底部に冷風を吹き付ける冷風発生手段とを有することを特徴とする棺桶用冷却装置。
【請求項２】
請求項１記載の棺桶用冷却装置において、前記冷風発生手段は、前記載置台の内部に設けられ冷媒が流れる冷媒配管と、該冷媒配管によって降温された冷風を前記棺桶の底部に導くファンと、前記棺桶の底部に吹き付けられた冷風を前記冷媒配管に導く導風手段とを有することを特徴とする棺桶用冷却装置。
【請求項３】
請求項２記載の棺桶用冷却装置において、前記冷媒配管に前記冷媒を供給する冷媒供給手段が、前記載置台とは別に設けられ、該冷媒供給手段と前記載置台はフレキシブルチューブとワンタッチカプラーによって連結可能となっていることを特徴とする棺桶用冷却装置。
【請求項４】
請求項１〜３のいずれか１項に記載の棺桶用冷却装置において、前記棺桶の底部には内外を連通する貫通孔が設けられていることを特徴とする棺桶用冷却装置。
【請求項５】
請求項４記載の棺桶用冷却装置において、前記貫通孔の直下に位置する前記載置台には、該貫通孔から落下する水を受ける水受け部が設けられていることを特徴とする棺桶用冷却装置。
【請求項６】
請求項１〜５のいずれか１項に記載の棺桶用冷却装置において、前記棺桶の蓋には、紫外線を発生する殺菌灯を備え、前記棺桶の内側に紫外線が照射されると共に、前記棺桶の火葬時に前記蓋の代わりに使用する予備蓋が用意されていることを特徴とする棺桶用冷却装置。
【請求項７】
請求項６記載の棺桶用冷却装置において、少なくとも前記蓋の内側には酸化チタンからなる光触媒が設けられていることを特徴とする棺桶用冷却装置。
【発明の詳細な説明】
【０００１】
【発明の属する技術分野】
本発明は、遺体を収納する棺桶を冷却する棺桶用冷却装置に関する。
【０００２】
【従来の技術】
人が死亡した場合には、遺体を柩や棺桶の中に収めておく期間は、通夜や告別式を行うことで３〜４日程度であり、この間遺体を棺桶に入れたまま保存しておくと、腐敗が進行し死臭が発生する。そこで、通常は遺体の保存剤としてドライアイスを棺桶内に配置している。
【０００３】
【発明が解決しようとする課題】
しかしながら、ドライアイスを遺体に直接触れるようにして配置すると皮膚が変色し、一見しても冷たく感じ、遺体に対して哀れみを感じる。
また、ドライアイスは時間の経過と共に消滅するので、適当に補充する必要があり、この場合、棺桶の中にあるドライアイスの袋を全部取り出して新しいドライアイスを詰め込む作業を行うことになるが、遺体に対面して行うことになり辛い仕事になる。
そして、火葬時においても、棺桶の中にドライアイスが入っている場合には、高温状態（例えば、８００℃）になるのに時間がかかり、このためダイオキシンが発生している。火葬の場合には棺桶からダイオキシンが発生するような要素を除去するように義務付けられているが、実際にはなかなか実行されていない。
本発明はかかる事情に鑑みてなされたもので、ドライアイスを使用することなく、しかも従来の棺桶をそのまま使用することも可能な棺桶用冷却装置を提供することを目的とする。
【０００４】
【課題を解決するための手段】
前記目的に沿う本発明に係る棺桶用冷却装置は、棺桶を載せる載置台と、載置台内に配置されて、上部に載った棺桶の底部に冷風を吹き付ける冷風発生手段とを有する。これによって、載置台内に設けた冷風発生手段によって、棺桶の底部を冷却して棺桶内部を冷やすので、従来の棺桶を使用できると共に、ドライアイスを使用しなくてもよい。
本発明に係る棺桶用冷却装置において、冷風発生手段は、載置台の内部に設けられ冷媒が流れる冷媒配管と、冷媒配管によって降温された冷風を棺桶の底部に導くファンと、棺桶の底部に吹き付けられた冷風を冷媒配管に導く導風手段とを有してもよい。これによって、棺桶の底部に吹き付けられる冷風が循環するので、棺桶を効率的に冷却することができる。
【０００５】
本発明に係る棺桶用冷却装置において、冷媒配管に冷媒を供給する冷媒供給手段が、載置台とは別に設けられ、冷媒供給手段と載置台はフレキシブルチューブとワンタッチカプラーによって連結可能となってもよい。これによって、冷媒供給手段と載置台が分離しているので、メンテナンスが簡単である。また、フレキシブルチューブとワンタッチカプラーで連結されるので、簡単に、速く連結することができる。
本発明に係る棺桶用冷却装置において、棺桶の底部には内外を連通する貫通孔を設けてもよい。これによって、棺桶内の温度の高い空気及び棺桶内に溜まる水滴を棺桶の外部に排出することができる。
本発明に係る棺桶用冷却装置において、貫通孔の直下に位置する載置台には、貫通孔から落下する水を受ける水受け部が設けられてもよい。これによって、棺桶内部の水分が冷却により凝縮されて、生成する水が載置台に流れないので、載置台が水浸しにならない。
【０００６】
本発明に係る棺桶用冷却装置において、棺桶の蓋には、紫外線を発生する殺菌灯を備え、棺桶の内側に紫外線が照射されると共に、棺桶の火葬時に蓋の代わりに使用する予備蓋が用意されてもよい。これによって、遺体に存在する病原菌等を死滅させることができる。また、遺体を火葬する場合には、殺菌灯を備えた蓋を予備蓋と交換することによって、殺菌灯を備えた蓋の繰り返し使用が可能となる。
本発明に係る棺桶用冷却装置において、少なくとも蓋の内側には酸化チタンからなる光触媒を設けてもよい。これによって、紫外線を照射された酸化チタン光触媒は、異臭を低減し、窒素酸化物を分解する。
【０００７】
光触媒とは、光のエネルギーを有効に使って酸化還元反応を引き起こす物質で、生物処理され難い種々の化学物質を分解することができる。代表的な光触媒は酸化チタンである。光触媒の仕組みは、まず、酸化チタンに紫外線があたると、酸化チタンの電子が奪われてプラスの電荷をもつ「正孔」が生じる。酸化チタンの表面には空気中の水分が付着して薄い水の層が形成されるが、正孔は表面に付着したこの水から電子を奪う。水は水素イオンとヒドロキシラジカルに分解される。ヒドロキシラジカルは活性酸素と呼ばれる酸化力の非常に強い物質で、表面に付着した有機物を酸化し、最終的には二酸化炭素と水に分解する。
この光触媒を利用すると、有機化合物を常温で分解できるだけでなく、殺菌、防カビ、防汚、脱臭効果などの効果もある。また、酸化チタンは弱い太陽光や、室内の蛍光灯などにも反応するため、屋内外を問わず効果を期待できる。
【０００８】
【発明の実施の形態】
続いて、添付した図面を参照しつつ、本発明を具体化した実施の形態につき説明し、本発明の理解に供する。
ここで、図１は本発明の一実施の形態に係る棺桶用冷却装置の説明図、図２（Ａ）は同棺桶冷却装置の載置台の平面図、（Ｂ）は同棺桶冷却装置の載置台の冷媒配管の配置図、（Ｃ）は同棺桶冷却装置の載置台のファンの配置図、図３は同棺桶用冷却装置のファンによる冷風の流れを示す説明図、図４（Ａ）は同棺桶用冷却装置の冷媒供給手段の説明図、（Ｂ）は冷媒供給手段の変形例の説明図、図５は同棺桶冷却装置の棺桶の蓋の説明図である。
【０００９】
図１、図２（Ａ）、（Ｂ）、（Ｃ）、図３を参照しながら、本発明の一実施の形態に係る棺桶用冷却装置１０を説明する。棺桶用冷却装置１０は、棺桶１１を載せる載置台１２と、載置台１２内に配置されて、上部に載った棺桶１１の底部に冷風を吹き付ける冷風発生手段、及びこの冷風発生手段に冷媒を供給する冷媒供給手段１３を有している。以下、これらについて詳しく説明する。
載置台１２は、棺桶１１の底部と実質的に同じ広さの天井板１４、底板１５、及び側板１６〜１９を有し、底板１５及び側板１６〜１９の内側部分には、発泡合成樹脂シート等からなる断熱シート２０が貼着されている。
前記した冷風発生手段は、載置台１２の内部に設けられ冷媒が流れる冷媒配管２１と、冷媒配管２１によって降温された冷風を棺桶１１の底部に導くファン２２（本実施の形態では、３つ）と、棺桶１１の底部に吹き付けられた冷風を冷媒配管２１に導く導風手段の一例である複数の貫通孔２３とを備えている。
【００１０】
冷媒配管２１は、熱伝導性のよい銅又はアルミニウムからなり、平面視して一部をジグザグ状に屈曲させて、図示しない支持部材によって載置台１２に底板１５と少しの隙間を設けて固定されている。冷媒配管２１のそれぞれの端部（すなわち、液入口及び液出口）は側板１６に固定されているワンタッチカプラーの一方側の雌継手２４、２５に連結されている。このワンタッチカプラーの一方側の雌継手２４、５２にはバルブ機構が設けられ、ワンタッチカプラーの他方側の雄継手２６、２７を装着した場合には、雄継手２６、２７のバルブ機構が開くと共に、ワンタッチカプラーの雌継手２４、２５のバルブ機構も開いて連結したワンタッチカプラー内を冷媒が流れるようになっている。
【００１１】
載置台１２の天井板１４と冷媒配管２１の間には、ファン２２が複数例えば、３つ長手方向に所定の間隔で設けられている。ファン２２は、ファン本体２２ａが支持部材２２ｂを介して枠体２２ｃに取付けられており、枠体２２ｃの４隅の取付け孔２２ｄで、ねじ２２ｅによって天井板１４に固定されている。更に、各ファン２２の上方の天井板１４には、ファン２２から送られる冷風の送風孔２８が設けられている。これによって、冷媒配管２１によって冷やされた空気を棺桶１１の底部に吹き付けることができる。ファン２２の電源供給用の雄型コネクター２９が側板１６に設けられ、これに対となる雌型コネクター３０を先部に備えたコード３１が接続できるようになっている。雄型コネクター２９から、各ファン２２に電気配線３２が設けられ、各ファン２２に電気を供給している。
なお、それぞれのワンタッチカプラーの雌継手２４、２５及び雄型コネクター２９は長手方向の側板１６に取付けたが、これと直交する短手方向の側板１７、１９のいずれか一方に取付けてもよい。
【００１２】
図１、図３に示すように、載置台１２の天井板１４の各送風孔２８の周りであり、ファン２２の直上位置より外側には、小径の多数の貫通孔２３が設けられている。ファン２２から送風孔２８を通って、棺桶１１の底部に吹き付けられた冷風は、貫通孔２３を通り、載置台１２内の冷媒配管２１に導かれ、再び、冷却される。この冷却された冷風が更にファン２２により、棺桶１１の底部に吹き付けられる。
また、載置台１２内部は、冷媒配管２１により空気が冷やされ、水滴を生じることがあるので、載置台１２内側下部には、プラスチック等で形成した水槽からなる水受け部３３を設けている。更に、水受け部３３から側板１６を貫通して、図示しない三方コックを備えた水抜き配管３４を設けている。水受け部３３に水が溜まるまでは、水抜き配管３４の三方コックを閉じておき、水受け部３３に溜まった水を抜くときは、水抜き配管３４の先端にドレインチューブ３５を装着し、三方コックを開け、ドレインチューブ３５から水受け部３３の水を流し、水受け部３３内の水を除去する。
【００１３】
次に、図４（Ａ）を参照しながら、冷媒供給手段１３について説明する。冷媒供給手段１３は蒸発圧縮式の冷凍機３６と、冷凍機３６から直接授受される冷却液体によって冷却される冷凍機用冷媒配管３７が浸漬された冷媒タンク３８と、冷媒タンク３８から冷媒を汲みだすポンプ３９を有している。冷凍機３６は通常生の食品を保持するのに使用される周知で市販の冷凍機が使用されている。冷媒タンク３８はステンレス製の容器からなって上部に液補給用のねじ蓋４０を備えている。ポンプ３９の吐出口は配管４１を介して継手４２に接続され、継手４２にはワンタッチカプラーの雄継手２６が先端に設けられたフレキシブルチューブ４３の基端が連結されている。一方、ワンタッチカプラーの雄継手２７が先端に設けられているフレキシブルチューブ４４の基端は、冷媒タンク３８の底部に設けられている継手４５に連結されている。冷媒タンク３８に入れる冷媒としては、水でもよいが凍る恐れがあるので、不凍液や所定量の砂糖を入れた凝固点の低い水を使用する。
なお、冷媒供給手段１３は全体が断熱材で包まれて外部の温度が影響しない構造となっている。
【００１４】
また、冷媒供給手段に、図４（Ｂ）に示す蒸発圧縮式の冷凍機３６ａを用いてもよい。冷凍機３６ａは、冷媒としてフッ素化合物（フロン）が使われている。冷凍機３６ａは、電動機３６ｂ、電動機３６ｂにより冷媒を圧縮する圧縮機３６ｃを有している。また、冷凍機３６ａは、圧縮機３６ｃで圧縮された冷媒を凝縮する図示しない凝縮器（放熱器ともいう）内に冷凍機用冷媒配管３７ａを設けている。また、圧縮機３６ｃで圧縮されて高温となった冷媒を冷却するファン３７ｂが冷凍機用冷媒配管３７ａに向けて、冷凍機３６ａ内に設けられている。冷凍機用冷媒配管３７ａは、継手４２ａに接続され、継手４２ａにはワンタッチカプラーの雄継手２６ａが先端に設けられたフレキシブルチューブ４３ａの基端が連結されている。また、圧縮機３６ｃの上流側には、ワンタッチカプラーの雄継手２７ａが先端に設けられているフレキシブルチューブ４４ａの基端が、圧縮機３６ｃに接続された配管３６ｄに継手４２ｂを介して連結されている。なお、継手４２ａ、４２ｂ、雄継手２６ａ、２７ｂはストッパ弁が設けられている。冷凍機３６ａの電力は電源プラグ７０ａから供給される。
【００１５】
冷凍機３６ａ内の冷媒は、まず、電動機３６ｂにより駆動される圧縮機３６ｃにより圧縮され、温度と圧力が上昇する。圧縮された冷媒は冷凍機用冷媒配管３７ａ内で放熱して液化する。更に、ファン３７ｂにより、冷凍機用冷媒配管３７ａは冷却される。冷媒は冷凍機用冷媒配管３７ａ内で、低温、例えば−３０℃に冷却される。冷媒はフレキシブルチューブ４３ａで冷媒配管２１から図示しない膨張弁に送られ、膨張弁を通過した冷媒は膨張し、冷媒配管２１内の空気から熱を吸収し温度が上がる。この際に、載置台１２内を冷却する。載置台１２内の冷媒配管２１を通過した温度の高い冷媒は、フレキシブルチューブ４４ａ、配管３６ｄから、再び、圧縮機３６ｃに送られる。
なお、冷凍機３６ａは全体が断熱材で包まれて外部の温度が影響しない構造となっている。
【００１６】
次に、図１、図５を参照しながら、棺桶１１について説明する。棺桶１１は、遺体４６を収納（安置）する棺桶本体４７と蓋４８を有している。棺桶本体４７は底板４９とその周囲の側板５０を有している。底板４９の下部には、複数、例えば４本の桟木５４が備えられ、棺桶本体４７の底板４９と載置台１２の天井板１４との間に隙間を形成している。この隙間によって、ファン２２から底板４９に吹き付けられる冷風を載置台１２の貫通孔２３に循環させることができるので、効率よく棺桶１１を冷却することができる。
また、棺桶本体４７の底板４９には、内外を連通する複数、例えば長手方向端部に２つの貫通孔５５が設けられている。貫通孔５５によって、棺桶１１内部の熱を外部に排出することができ、効率よく棺桶１１内部の温度を下げることができる。また、棺桶１１内部の温度低下により、棺桶１１内部に水滴が発生することがあるので、その発生した水滴を貫通孔５５から棺桶１１外部に排出することもできる。
【００１７】
また、貫通孔５５の下部には、貫通孔５５から落下する水を、水受け部３３に導くドレインチューブを設けてもよい。これによって、貫通孔５５から排出される水滴によって、載置台１２の天井板１が濡れることがない。なお、火葬時には、このドレインチューブは外される。
本実施の形態では、棺桶１１の底部には桟木５４が設けられているが、桟木を有しない棺桶においては、棺桶の下部の周囲に同じ高さの複数の木材を配置し、更に、桟木となるように、間隔を有して前記した木材と同じ高さの木材を棺桶と載置台の間に挟み、空間を作り、効率よく棺桶を冷却することもできる。
【００１８】
図５に示すように、棺桶１１の蓋４８は、長方形の天井板５７及びその周囲の高さの低い側板５８〜６１を有し、天井板５７の一方側には従来方式の開閉窓６２が設けられている。開閉窓６２は、遺体４６を棺桶本体４７内に入れた場合に、遺体４６の頭部全体が見える位置及び大きさで形成されている。
天井板５７の下側面（棺桶１１の内側となる部分）の中央部には幅方向に所定の間隔で例えば３本の殺菌灯６３を平行に配置している。殺菌灯６３により、遺体４６に付着している病原菌等の細菌を死滅させることができ、遺体４６の腐食を防止すると共に、遺族が遺体４６に触れた際の二次感染を防止することができる。
蓋４８の側板６１には、殺菌灯６３の電源供給用の雄型コネクター６４が設けられ、これに対となる雌型コネクター６５を先部に持つコード６６を外部から接続できるようになっている。雄型コネクター６４から、各殺菌灯６３に図示しない電気配線が設けられ、各殺菌灯６３に電気を供給している。なお、コード６６は、冷媒供給手段１３に接続され、電気を供給している。
【００１９】
更に、蓋４８の内側面には、酸化チタンからなる光触媒の塗料が塗布されている。前記した殺菌灯６３から紫外線がこの光触媒に照射されると、遺体４６から発生する異臭や窒素酸化物等を分解し、悪臭防止ができる。
なお、火葬時には、予備蓋４８ａが用意される。この予備蓋４８ａは、遺体４６を安置している場所（自宅、葬祭場）から、出棺する場合に蓋４８の代わりに使用し、遺体４６と一緒に火葬される。この予備蓋４８ａは、従来の木製の開閉窓を有する蓋であってもよいし、開閉窓の有しないものであってもよい。蓋４８を予備蓋４８ａに取り替えるので、高価な蓋４８を繰り返し使用できる。
【００２０】
また、殺菌灯６３の一つには図示しない熱電対（温度センサーの一例）が設けられ、また、前記した殺菌灯６３及び熱電対に雄型及び雌型コネクター６４、６５及びコード６６を介して接続される図示しない制御装置が冷媒供給手段１３内に配置され、棺桶１１内の温度を測定して、図示しない調整摘まみ等によって設定された温度範囲より高い場合には、冷凍機３６を運転して冷媒タンク３８内の冷媒の温度を下げて棺桶１１内の空気温度を下げ、棺桶１１内の温度が低すぎる場合には、冷凍機３６の運転を止めて冷媒の温度を上昇させ、棺桶１１内の空気温度を高めて、棺桶１１内の温度が常時一定の温度範囲にあるように制御している。
【００２１】
続いて、棺桶用冷却装置１０の使用方法及びその作用について説明する。
まず、最初に棺桶本体４７内に亡くなった直後の遺体４６を収納し、蓋４８をして、載置台１２上に棺桶１１を配置する。遺体４６は、棺桶本体４７上に設置された畳６７、畳６７の上に配置された布団６８及び枕６９の上に安置されている。
そして、図１に示すように、冷媒配管２１と冷媒供給手段１３を連結するフレキシブルチューブ４３、４４をワンタッチカプラーを介して接続すると共に、コード３１を雄型、雌型のコネクター２９、３０を介して電気配線３２に接続する。更に、冷媒供給手段１３の電源プラグ７０を電源に接続し、図示しないスイッチをオンにすると、ポンプ３９に電力が供給されて、冷媒供給手段１３から載置台１２内部の冷媒配管２１に冷媒を送ると共に、ファン２２に電力が供給されて回転し、冷媒配管２１によって、冷却された空気を棺桶本体４７の底に吹き付けて棺桶１１を冷却することが可能となる。
【００２２】
更に、蓋４８の雄型コネクター６４と冷媒供給手段１３のコード６６の先端の雌型コネクター６５を接続する。ここで、冷媒供給手段１３の電源プラグ７０が電源に接続され、図示しないスイッチがオンになっているので、殺菌灯６３に電力が供給されて、紫外線が遺体４６に照射され、遺体４６に付着する病原菌を死滅させることができる。更に、照射された紫外線により、光触媒が活性化し、遺体４６から発生する異臭や窒素酸化物等を分解し、悪臭防止ができる。
また、殺菌灯６３に取付けた熱電対による棺桶１１内部の温度データが冷媒供給手段１３の制御装置に送られる。
通常の状態では、棺桶１１内の温度は、所定の設置温度（例えば、２〜５℃）より高いので、冷凍機３６が作動し、冷媒を冷却する。ポンプ３９も同時に回転するので、冷媒タンク３８から冷やされた冷媒が蓋４８の冷却配管２１に供給され、ファン２２の回転によって棺桶本体４７の底部を冷却し、その伝熱により、棺桶１１内部を冷却する。棺桶１１内の温度が下がることによって、含まれている水蒸気が飽和するが、貫通孔５５によって水分が除去されるので、棺桶１１内に水滴が発生することはない。
【００２３】
以上の動作によって、棺桶１１内の遺体４６を低温状態で保持でき、遺体４６の腐敗の進行を緩めることができる。
出棺する場合には、蓋４８を外して、予備蓋４８ａを使用する。この予備蓋４８ａは木製の蓋であるので、安価であり、値段の比較的高価な蓋４８の焼失を免れることができ、蓋４８は繰り返し使用する。
なお、開閉窓６２の構造は従来の一般の棺桶の場合と同様であり、この開閉窓６２から中を見ても、殺菌灯６３は見えないようになっているので、見る人に不快感や違和感を与えない。
【００２４】
本発明は、前記した実施の形態に限定されるものではなく、本発明の要旨を変更しない範囲での変更は可能であり、例えば、前記した実施の形態や変形例の一部又は全部を組み合わせて本発明の棺桶用冷却装置を構成する場合も本発明の権利範囲に含まれる。
例えば、前記実施の形態においては、ファンの数は３であったが、それ以外の数であってもよい。また、殺菌灯の数も３であるが、それ以外の数であってもよい。
載置台及び蓋は、それぞれ分割可能に形成してもよい。
載置台の天井板に設けた貫通孔は断面四角形の形状に形成しているが、その形状は限定されない。また、載置台の貫通孔の直上に、金網を取付けてもよい。
蓋４８の開閉窓６２は手動開閉であったが、自動開閉にしてもよい。
光触媒は塗料を用いたが、フィルムを貼り付けてもよく、また、光触媒の微粉末を吹き付けてもよい。
棺桶の底板の上に、畳、布団、枕を配置したが、それぞれの宗教等により、この限りではない。
【００２５】
【発明の効果】
請求項１〜７記載の棺桶用冷却装置においては、棺桶を載せる載置台と、載置台内に配置されて、上部に載った棺桶の底部に冷風を吹き付ける冷風発生手段とを有しているので、従来の棺桶を使用できると共に、ドライアイスを使用しなくてもよい。
特に、請求項２記載の棺桶用冷却装置においては、冷風発生手段は、載置台の内部に設けられ冷媒が流れる冷媒配管と、冷媒配管によって降温された冷風を棺桶の底部に導くファンと、棺桶の底部に吹き付けられた冷風を冷媒配管に導く導風手段とを有しているので、棺桶の底部に吹き付けられる冷風が循環し、棺桶を効率的に冷却することができる。
【００２６】
請求項３記載の棺桶用冷却装置においては、冷媒配管に冷媒を供給する冷媒供給手段が、載置台とは別に設けられ、冷媒供給手段と載置台はフレキシブルチューブとワンタッチカプラーによって連結可能となっているので、冷媒供給手段と載置台のメンテナンスが簡単である。また、フレキシブルチューブとワンタッチカプラーによって、簡単に、速く連結することができる。
請求項４記載の棺桶用冷却装置においては、棺桶の底部には内外を連通する貫通孔が設けられているので、棺桶内の温度の高い空気及び棺桶内に溜まる水滴を棺桶の外部に排出することができる。
請求項５記載の棺桶用冷却装置においては、貫通孔の直下に位置する載置台には、貫通孔から落下する水を受ける水受け部が設けられているので、棺桶内部の水分が冷却により凝縮され、生成する水が載置台に流れず、載置台が水浸しにならない。
【００２７】
請求項６記載の棺桶用冷却装置においては、棺桶の蓋には、紫外線を発生する殺菌灯を備え、棺桶の内側に紫外線が照射されると共に、棺桶の火葬時に蓋の代わりに使用する予備蓋が用意されているので、遺体に存在する病原菌を死滅させることができる。また、遺体を火葬する場合には、殺菌灯を備えた高価な蓋を安価な予備蓋に交換することによって、蓋の繰り返し使用が可能となり、経済的である。
請求項７記載の棺桶用冷却装置においては、少なくとも蓋の内側には酸化チタンからなる光触媒が設けられているので、紫外線が照射された酸化チタン光触媒は、異臭を低減し、窒素酸化物を分解する。
【図面の簡単な説明】
【図１】本発明の一実施の形態に係る棺桶用冷却装置の説明図である。
【図２】（Ａ）は同棺桶冷却装置の載置台の平面図、（Ｂ）は同棺桶冷却装置の載置台の冷媒配管の説明図、（Ｃ）は同棺桶冷却装置の載置台のファンの説明図である。
【図３】同棺桶用冷却装置のファンによる冷風の流れを示す説明図である。
【図４】（Ａ）は同棺桶用冷却装置の冷媒供給手段の説明図、（Ｂ）は冷媒供給手段の変形例の説明図である。
【図５】同棺桶冷却装置の棺桶の蓋の説明図である。
【符号の説明】
１０：棺桶用冷却装置、１１：棺桶、１２：載置台、１３：冷媒供給手段、１４：天井板、１５：底板、１６〜１９：側板、２０：断熱シート、２１：冷媒配管、２２：ファン、２２ａ：ファン本体、２２ｂ：支持部材、２２ｃ：枠体、２２ｄ：取付け孔、２２ｅ：ねじ、２３：貫通孔、２４、２５：雌継手、２６、２７：雄継手、２８：送風孔、２９：雄型コネクター、３０：雌型コネクター、３１：コード、３２：電気配線、３３：水受け部、３４：水抜き配管、３５：ドレインチューブ、３６、３６ａ：冷凍機、３６ｂ：電動機、３６ｃ：圧縮機、３６ｄ：配管、３７、３７ａ：冷凍機用冷媒配管、３７ｂ：ファン、３８：冷媒タンク、３９：ポンプ、４０：ねじ蓋、４１：配管、４２、４２ａ、４２ｂ：継手、４３、４３ａ、４４、４４ａ：フレキシブルチューブ、４５：継手、４６：遺体、４７：棺桶本体、４８：蓋、４８ａ：予備蓋、４９：底板、５０：側板、５４：桟木、５５：貫通孔、５７：天井板、５８〜６１：側板、６２：開閉窓、６３：殺菌灯、６４：雄型コネクター、６５：雌型コネクター、６６：コード、６７：畳、６８：布団、６９：枕、７０、７０ａ：電源プラグ
【図１】
2004105254.tif 000003
【図２】
2004105254.tif 000004
【図３】
2004105254.tif 000005
【図４】
2004105254.tif 000006
【図５】
2004105254.tif 000007